(57)【要約】【課題】エネルギ効率の高い工業用空調機を提供する。【解決手段】蒸発器４から導管を介して圧縮機３により冷媒を凝縮器６に圧送することで冷媒を循環させ、前記蒸発器４で除湿すると共に前記蒸発器４で冷却した冷気をヒータ３０で昇温させた後に第１ファンＦ１により送風口１９から送風し、前記凝縮器６の放熱で昇温した暖気を第２ファンＦ２により排気口１８から排出する工業用空調機に関する。前記蒸発器４を収容した冷却室１１に前記暖気の一部を導入する第１流路Ｌ１と、前記冷却室１１を通ることなく前記送風口１９に前記暖気の他の一部を導入する第２流路Ｌ２とを更に備えたことを特徴とする。【選択図】図２
2007187329.tif 000002
【特許請求の範囲】
【請求項１】
蒸発器から導管を介して圧縮機により冷媒を凝縮器に圧送することで冷媒を循環させ、前記蒸発器で除湿すると共に前記蒸発器で冷却した冷気をヒータで昇温させた後に第１ファンにより送風口から送風し、
前記凝縮器の放熱で昇温した暖気を第２ファンにより排気口から排出する工業用空調機において、
前記蒸発器を収容した冷却室に前記暖気の一部を導入する第１流路と、
前記冷却室を通ることなく前記送風口に前記暖気の他の一部を導入する第２流路とを更に備えた工業用空調機。
【請求項２】
請求項１において、前記第１流路に設けられ前記蒸発器に前記暖気の一部を送風する第３ファンを更に備えた工業用空調機。
【請求項３】
請求項１もしくは２において、前記第１流路および／または第２流路を開閉するシャッタが設けられた工業用空調機。
【発明の詳細な説明】
【技術分野】
【０００１】
本発明は、工業用空調機に関するものである。
【背景技術】
【０００２】
従来より、室温を所定の温度に正確に保ための工業用空調機が提案されている（特許文献１）。
【特許文献１】特開２００５−１８０８４７公報  （要約）
【発明の開示】
【発明が解決しようとする課題】
【０００３】
一般に、工業用空調機は室内の精密な温度管理に用いられるため、該空調機からの送風温度が厳密に管理されている。たとえば、図１に示す従来の工業用空調機では、蒸発器（冷却器）４からの冷気をヒータ３０によって昇温させて所定の温度に調整した後、送風口１９から送風している。
【０００４】
しかし、蒸発器４によって所定の温度に冷却した冷気を、ヒータ３０を用いて昇温させるのでエネルギ効率が低い。また、種々の温度に調整するためには、能力の大きなヒータ３０を採用する必要がある。
したがって、本発明の主目的は、エネルギ効率の高い工業用空調機を提供することである。
【課題を解決するための手段】
【０００５】
前記目的を達成するために、本発明の工業用空調機は、蒸発器から導管を介して圧縮機により冷媒を凝縮器に圧送することで冷媒を循環させ、前記蒸発器で除湿すると共に前記蒸発器で冷却した冷気をヒータで昇温させた後に第１ファンにより送風口から送風し、前記凝縮器の放熱で昇温した暖気を第２ファンにより排気口から排出する工業用空調機において、前記蒸発器を収容した冷却室に前記暖気の一部を導入する第１流路と、前記冷却室を通ることなく前記送風口に前記暖気の他の一部を導入する第２流路とを更に備えたことを特徴とする。
【発明の効果】
【０００６】
本発明によれば、凝縮器の暖気の一部を第２流路を介して送風口に導入している。そのため、能力の低いヒータを用いても温度調整を行うことができると共に、運転時における消費電力を低く抑えることができる。このように、従来の工業用空調機では排気されていた凝縮器の暖気の一部を利用することにより、エネルギ効率を著しく向上させることができる。
一方、前述のように暖気の一部を送風口から室内に送風する分だけ、蒸発器を通過する風量が低下するので、何ら策を講じないと、蒸発器の表面が結露し、凍結するおそれがある。そこで、本願発明は、凝縮器の放熱で昇温した暖気の一部を、第１流路を介して蒸発器を収容した冷却室に導入している。そのため、前記暖気により、蒸発器の凍結を防止することができる。
【発明を実施するための最良の形態】
【０００７】
本発明において、前記第１流路に設けられ前記蒸発器に前記暖気の一部を送風する第３ファンを更に備えているのが好ましい。
この態様によれば、第３ファンにより暖気の一部を強制的に蒸発器に送風することにより、蒸発器の凍結をより効果的に防止することができる。
【０００８】
本発明において、前記第１流路および／または第２流路を開閉するシャッタが設けられているのが好ましい。
この態様によれば、シャッタの開閉により、外気の温度に応じて各流路に送る暖気の量を調整することができる。
【実施例１】
【０００９】
以下、本発明の一実施例にかかる工業用空調機を図面に従って説明する。
図１は、一般的な工業用空調機を示す概略構成図である。
図１において、圧縮機３は、蒸発器（冷却器）４において気体となった冷媒を、導管５を介して凝縮器６に圧送し、さらに、凝縮器６から膨張弁７に圧送して、循環させる。この際、冷媒は凝縮器６および膨張弁７において徐々に液化する。前記膨張弁７は、破線で示す極めて細い管からなる。冷媒は、膨張弁７から出て、蒸発器４内の比較的太い管内で低圧となって、再び気化することにより、蒸発器４の周囲の熱を奪い、周囲温度を低下させる。
【００１０】
筐体１は区画壁２によって、第１チャンバＣ１と第２チャンバＣ２とに区画されている。前記第１チャンバＣ１には、前記蒸発器４、第１ファンＦ１およびヒータ３０が収容されている。一方、第２チャンバＣ２には、前記圧縮機３、凝縮器６および第２ファンＦ２が収容されている。
【００１１】
図２に示すように、第１ファンＦ１により、外気（室内の空気）が、第１吸気口１６から第１チャンバＣ１内に取り込まれ、蒸発器４を通ると、前記空気が蒸発器４で除湿されると共に冷却される。除湿および冷却された冷気は、前記第１ファンＦ１により送風口１９から筐体１の外部に向って送風される。
【００１２】
一方、第２チャンバＣ２内に設けた凝縮器６は、冷媒が圧縮されて高温になるので、第２ファンＦ２により、第２チャンバＣ２内に第２吸気口１７（図２）から取り入れられた外気を凝縮器６に通すことで放熱を促し、冷媒の温度を低下させている。
【００１３】
つぎに、本発明の要部について説明する。
図２に示すように、本工業用空調機の第１チャンバＣ１は、仕切板２１，２１によって、冷却室１１、ヒータ室１２および第１ファン室１３に区画されている。
冷却室１１には蒸発器４が収容されている。ヒータ室１２にはヒータ３０が収容されている。第１ファン室１３には第１ファンＦ１が収容されている。
【００１４】
冷却室１１には、第１吸気口１６が設けられており、第１吸気口１６から吸気された外気（室内の空気）は、蒸発器４の周囲を通って、ヒータ室１２のヒータ３０で昇温した後に第１ファン室１３を通り送風口１９から送風される。
一方、第２チャンバＣ２には、第２吸気口１７が設けられており、第２吸気口１７から吸気された外気は、凝縮器６によって温められ、昇温した暖気の一部または全部が排気口１８から排出される。
【００１５】
流路Ｌ１，Ｌ２：
前記筐体１内には、二点鎖線で示す第１および第２流路Ｌ１，Ｌ２が設けられている。
第２流路Ｌ２は、第２チャンバＣ２からヒータ室１２に連通するように設けられている。第２流路Ｌ２を通った暖気は、ヒータ３０の周囲を通り、第１ファンＦ１により送風口１９に導入される。したがって、蒸発器４からの冷気の温度を当該暖気によって上昇させることで、ヒータ３０の出力を低く抑えることができるから、省エネを実現することができる。
【００１６】
第１流路Ｌ１は、第２チャンバＣ２から冷却室１１に連通するように設けられており、蒸発器４を収容した冷却室１１に凝縮器６によって温められた暖気の一部を導入する。第１流路Ｌ１を通った暖気は、蒸発器４の周囲に導入される。したがって、前記暖気の導入により、前述のように、第１吸気口１６からの吸気量が低下しても、蒸発器４が凍結するおそれがなくなる。
【００１７】
第１流路Ｌ１の冷却室１１側の端部には、蒸発器４に前記暖気を送風する第３ファンＦ３が設けられている。第３ファンＦ３によって、前記暖気が蒸発器４に強制的に導入されるので、蒸発器４の凍結をより効果的に防止することができる。
【００１８】
シャッタ１０：
第１流路Ｌ１および第２流路Ｌ２には、両流路Ｌ１，Ｌ２を開閉するシャッタ１０が設けられている。シャッタ１０の開閉により、各流路に送る暖気の量を調整することができる。たとえば、ヒータ３０の能力で蒸発器４からの冷気の温度を上げられる範囲では、シャッタ１０が閉じられ、ヒータ３０のみによって冷気の昇温が行われる。一方、ヒータ３０の能力のみでは十分に蒸発器４からの冷気の温度を上げられない場合には、シャッタ１０が開けられ、凝縮器６からの暖気の一部が導入される。
前記シャッタ１０は、室温や設定温度に応じて自動的に開閉されてもよいし、操作者によって手動で開閉されてもよい。
【００１９】
なお、前記シャッタ１０は、２つの流路Ｌ１，Ｌ２の両方の開閉を行ってもよいし、第１流路Ｌ１または第２流路Ｌ２のいずれか一方のみの開閉を行うようにしてもよい。
また、必ずしも、ヒータ室１２と第１ファン室１３とを仕切板２１によって分ける必要はない。
さらに、第２流路Ｌ２からの暖気は、冷却室１１を通ることなく送風口１９に導入されればよく、ヒータ３０の下流に第２流路Ｌ２からの暖気を導入するようにしてもよい。
【産業上の利用可能性】
【００２０】
本発明は、特に、精密な温度調整が必要な工業用空調機に適用することができる。
【図面の簡単な説明】
【００２１】
【図１】一般的ないし、従来の工業用空調機を示す工業用空調機の概略構成図である。
【図２】本発明の一実施例にかかる工業用空調機を示す概略構成図である。
【符号の説明】
【００２２】
３：圧縮機
４：蒸発器
５：導管
６：凝縮器
１０：シャッタ
１１：冷却室
１８：排気口
１９：送風口
３０：ヒータ
Ｆ１：第１ファン
Ｆ２：第２ファン
Ｆ３：第３ファン
Ｌ１：第１流路
Ｌ２：第２流路
【図１】
2007187329.tif 000003
【図２】
2007187329.tif 000004